(57)【要約】      （修正有）【課題】豊かな倍音に彩られたディジュリドゥの音色を再現可能な金管楽器を提供する。【解決手段】本考案の金管楽器１は、吹込端と吹出端を有する長尺状の本体部１０であって、吹込端に位置し、吹出端に向かって縮径する部位を有するマウスピース部１３と、吹出端に位置し、吹込端側から吹出端に向かって拡径する部位を有するベル部１１と、マウスピース部１３とベル部１１とを連結する管部１２と、を有する中空筒状の本体部１０と、本体部１０の外周を全長に亘って被覆する外装部本体２１と、本体部１０を外装部本体２１から離隔しつつ部分支持する複数の支持材２２と、を有する外装部２０と、本体部１０の外面と、外装部本体２１の内面と、複数の支持材２２との間に形成される反響空間３０、を備えることを特徴とする。【選択図】図１
0003212958.tif 000002
【実用新案登録請求の範囲】
【請求項１】
吹込端と吹出端を有する長尺状の本体部であって、吹込端に位置し、吹出端に向かって縮径する部位を有するマウスピース部と、吹出端に位置し、吹込端側から吹出端に向かって拡径する部位を有するベル部と、前記マウスピース部と前記ベル部とを連結する管部と、を有する中空筒状の本体部と、
前記本体部の外周を全長に亘って被覆する外装部本体と、前記本体部を前記外装部本体から離隔しつつ部分支持する複数の支持材と、を有する外装部と、
前記本体部の外面と、前記外装部本体の内面と、複数の前記支持材との間に形成される反響空間、を備えることを特徴とする、
金管楽器。
【請求項２】
前記支持材が、前記ベル部の吹出端付近を支持し、前記ベル部の他の部分を支持していないことを特徴とする、請求項１に記載の金管楽器。
【請求項３】
前記ベル部が、吹込端側から吹出端に向かって拡径するテーパー部と、前記テーパー部の吹出端側から吹出端に向かって延在する円筒部と、を備えることを特徴とする、請求項１又は２に記載の金管楽器。
【請求項４】
前記テーパー部の吹き出端側の内径が、吹込端側の内径の２．５倍以上であることを特徴とする、請求項３に記載の金管楽器。
【請求項５】
前記ベル部が、アルミニウム又はアルミニウム合金からなることを特徴とする、請求項１乃至４のいずれか一項に記載の金管楽器。
【請求項６】
長手方向に分割可能に構成したことを特徴とする、請求項１乃至５のいずれか一項に記載の金管楽器。
【請求項７】
前記外装部本体が、樹木の枝幹を模した形状、および色彩を備えることを特徴とする、請求項１乃至６のいずれか一項に記載の金管楽器。
【考案の詳細な説明】
【技術分野】
【０００１】
本考案は金管楽器に関し、特に、豊かな倍音に彩られたディジュリドゥの音色を再現可能な金管楽器に関する。
【背景技術】
【０００２】
ディジュリドゥ（Ｄｉｄｇｅｒｉｄｏｏ）とは、木製の金管楽器の一種であり、オーストラリアの先住民アボリジニの民族楽器である。
ディジュリドゥは、白蟻によって内部を食い荒らされ空洞化したパイプ状のユーカリの幹を１〜２ｍ程度の長さに切断し、表皮を削るとともに一端に蜜蝋を盛ってマウスピース部を形成して製作する。
ディジュリドゥを吹く際は、マウス部に口を当て、唇を震わせながら管内に深く息を吹き込む。すると、ディジュリドゥの太い管内で唇の振動による超低音が増幅されて、「ヴゥルゥルゥ・・・」というような、倍音が共鳴する複雑で深い音色が発せられる。
ディジュリドゥは、唇のほか、舌、喉、肺、横隔膜などの呼吸器系の器官を駆使して演奏し、歌うような奏法や、語るような奏法（トーキング）など、他の金管楽器には見られない独特の演奏方法に特徴がある。
【先行技術文献】
【特許文献】
【０００３】
【特許文献１】特開２０１１−１９１７２１号公報
【特許文献２】特開平１１−３４４９７０号公報
【考案の概要】
【考案が解決しようとする課題】
【０００４】
従来のディジュリドゥには、次のような問題点がある。
＜１＞材料の入手が極めて困難な上、熟練した職人による一品生産であるため、製造量が少なく、高価である。
＜２＞一品生産であり音質や演奏可能な音域が素材の形状や材質に依存するため、製品ごとの品質にばらつきが多い。
＜３＞自然素材からなるため、湿気によるカビの発生や乾燥による割れなど、外部環境の影響を受けて劣化しやすい。
＜４＞乾燥した幹からなる筒状体であるため、衝撃によって破損しやすい。
＜５＞全長が１〜２ｍと長いため、取扱や搬送に不便である。
【０００５】
従って本考案は、前述した従来のディジュリドゥの問題点を解決しつつ、ディジュリドゥのような豊かな倍音に彩られた音色を再現可能な金管楽器を提供することを目的とする。
【課題を解決するための手段】
【０００６】
上記のような課題を解決するための、本考案の金管楽器は、吹込端と吹出端を有する長尺状の本体部であって、吹込端に位置し、吹出端に向かって縮径する部位を有するマウスピース部と、吹出端に位置し、吹込端側から吹出端に向かって拡径する部位を有するベル部と、マウスピース部とベル部とを連結する管部と、を有する中空筒状の本体部と、本体部の外周を全長に亘って被覆する外装部本体と、本体部を外装部本体から離隔しつつ部分支持する複数の支持材と、を有する外装部と、本体部の外面と、外装部本体の内面と、複数の支持材との間に形成される反響空間、を備えることを特徴とする。
この構造によれば、簡易な構造でもって、ディジュリドゥの様な豊かな倍音に彩られた低くて深みのある音色を再現することができる。
【０００７】
本考案の金管楽器は、支持材がベル部の吹出端付近を支持し、他の部分を支持しない構造であってもよい。
この構造によれば、支持部が演奏によるベル部の振動に干渉することなく反響空間を確保することができる。
【０００８】
本考案の金管楽器は、ベル部がテーパー部と円筒部とを備えていてもよい。
この構造によれば、複雑で深い倍音を生成することができる。
【０００９】
本考案の金管楽器は、テーパー部の吹き出端側の内径が吹込端側の内径の３倍以上であってもよい。
この構造によれば、マウスピース部から吹き込まれた気柱の振動を有効に拡散・増幅することができる。
【００１０】
本考案の金管楽器は、アルミニウム、又はアルミニウム合金からなってもよい。
この構造によれば、低く厚みのある音を再現することができる。
【００１１】
本考案の金管楽器は、長手方向に分割可能であってもよい。
この構造によれば、分割して容易に搬送することができる。
【００１２】
本考案の金管楽器は、外装部本体が、樹木の枝幹を模した形状、および色彩を備えていてもよい。
この構造によれば、ディジュリドゥ独特の雰囲気を味わいながら演奏することができる。
【考案の効果】
【００１３】
本考案の金管楽器は、以上説明した構成であるため、次の効果を少なくともひとつ備えている。
＜１＞簡易な構造でもって、ディジュリドゥの様な豊かな倍音に彩られた低くて深みのある音色を再現することができる。
＜２＞量産できるので安価に供給することができる。
＜３＞量産品なので製品ごとの品質のばらつきが少なく音階が安定している。
＜４＞アルミやＦＲＰなど耐久性の高い部材からなるため破損しにくく耐用年数が高い。
＜５＞中空構造なので軽くて扱いやすい。また、分割構造とすれば分割した状態で搬送することができる。
【図面の簡単な説明】
【００１４】
【図１】本考案に係る金管楽器の説明図。（Ａ）は外観を表し、（Ｂ）は内部の構造を表す。
【図２】ベル部の説明図。
【図３】実施例２の説明図。
【考案を実施するための形態】
【００１５】
以下、図面を参照しながら本考案の金管楽器について詳細に説明する。
【実施例１】
【００１６】
＜１＞全体の構成（図１）。
本考案の金管楽器１は、口をつけて息を吹き込む吹込端と音を放射する吹出端を有する、長尺状の管楽器である。
本考案の金管楽器１は、中空筒状の本体部１０と、本体部１０の外周を全長にわたって被覆する外装部２０と、本体部１０の外面と外装部２０の内面との間に形成される反響空間３０と、を備える。
【００１７】
＜２＞本体部。
本体部１０は、中空筒状の長尺状の発音部材である。
本体部１０は、吹出端に位置するベル部１１と、吹込端に位置するマウスピース部１３と、ベル部１１とマウスピース部１３とを連結する管部１２と、を備える。
【００１８】
＜２．１＞ベル部（図２）。
ベル部１１は、音の拡散・増幅機能を備えた部材である。
ベル部１１は、吹込端側から吹出端に向かって拡径するテーパー部１１ａと、テーパー部１１ａの吹出端側から吹出端に向かって延在する円筒部１１ｂと、を備える。
ベル部１１の厚さは振動の伝達力に影響するため、薄く設定する。概ね１．０〜２．０ｍｍ程度とするのが望ましい。
テーパー部１１ａの吹出端側の内径Ｄ１は、マウスピース部１３から吹き込まれた気柱の振動を効率よく拡散・増幅するため、吹込端側の内径Ｄ２の２．５倍以上とするのが望ましい（Ｄ１≧２．５Ｄ２）。
本例では、テーパー部１１ａの吹込端の内径Ｄ２を２０ｍｍ、吹出端の内径Ｄ１を６０ｍｍとする。円筒部１１ｂは６０ｍｍの単一径である。
従来の金管楽器のベル部は、開口端部における気柱の乱反射による音の乱れを防ぐためにベル部の開口単に外側にＲをつけて丸めた朝顔形を呈する。
一方、本考案のベル部は、テーパー部１１ａの先端に円筒部１１ｂを設けた構造により、テーパー部１１ａで拡散した気柱を円筒部１１ｂに衝突させて共鳴させることで、複雑で深い倍音を生成することができる。
【００１９】
＜２．１．１＞ベル部の素材。
本考案の金管楽器１は、その構造に加えてベル部１１の素材に特徴を有する。
本例では、ベル部１１の素材としてアルミニウム又はアルミニウム合金を採用する。
一般の金管楽器の管体の素材には、黄銅、レッドブラス（丹銅）、洋白、キュプロニッケル（白銅）などの銅合金が用いられる。これらの金属はエネルギーの内部減衰率が低く、振動をロスすることなく伝達できるため音の響きが良いが、ディジュリドゥのような低くて深みのある音を再現することは難しい。
一方、アルミニウムやアルミニウム合金は銅合金と比較して内部減衰率が大きく、吹奏による振動を一定量に押えられるため、低く厚みのある音を再現することができる。
【００２０】
＜２．２＞管部。
管部１２は、ベル部１１とマウスピース部１３とを連結する管状の部材である。
管部１２の長さと太さによって演奏可能な音域を設定することができる。
すなわち、管部１２の内径が細くなるほど基本音階は低くなり、太くなるほど高くなる。また、管部１２の長さが長くなるほど基本音階は低くなり、短くなるほど高くなる。これに加え、演奏者の呼吸によって基本音階より低い方向へ音階を下げることができ、これらの組合せによって演奏可能な音域が決まる。
このように、本発明の金管楽器１は、管部の長さと太さを組み合わせて設計することによって、単一の全長でもって複数の演奏可能音域を設定することができる。
【００２１】
＜２．３＞マウスピース部。
マウスピース部１３は、演奏者が息を吹き込むための部材である。
マウスピース部１３は、本体部１０の吹込端に位置し、マウスピース部１３の吹込端は吹出端側に向かって縮径する。
マウスピース部１３の吹込端は、演奏者が内部に息を吹き込みながら唇を自由に振動可能な程度の大きさとする。概ね直径３０ｍｍ〜４０ｍｍ程度とするとよい。
【００２２】
＜３＞外装部。
外装部２０は、本体部１０の外周を部分支持しつつ被覆するための部材である。
外装部２０は、本体部１０の外周を全長に亘って被覆する外装部本体２１と、本体部１０を外装部本体２１から離隔しつつ部分支持する複数の支持材２２と、を備える。
本例の外装部本体２１はＦＲＰ製を採用する。ＦＲＰは一定の強度を備えながら軽量で搬送しやすい。
また、本例では、外装部本体２１の外周にディジュリドゥの素材であるユーカリの幹を模した加工および色彩を施す。音だけでなく外見もディジュリドゥを模すことで、ディジュリドゥ独特の雰囲気を味わいながら演奏することができる。
ただしこれに限らず、他の好きな樹木の枝幹を模した形状、および色彩などを採用してもよい。
【００２３】
＜３．１＞支持材。
支持材２２は、本体部１０を外装部本体２１から離隔しつつ部分支持するための部材である。
本体部１０と外装部本体２１とを密着させず、支持材２２によって部分的に支持することで、演奏によるベル部１１の振動に干渉することなく反響空間３０を確保することができる。
本例では、支持材２２として、外周が外装部本体２１の内面に対応し、内周が本体部１０の外面に対応するＦＲＰ製の座金状の板材を採用する。
支持材２２は、外装部本体２１の内面の、ベル部１１の吹出端付近、ベル部１１と管部１２との接続部分、マウスピース部１３の吹出端付近、の三か所に付設する。
支持材２２の数および付設箇所は上記に限られないが、ベル部１１の振動を殺さないため、ベル部１１の吹出端付近に少なくとも１つ配置し、ベル部１１の他の部分には干渉しないように配置する。
【００２４】
＜４＞反響空間。
反響空間３０は、演奏によってベル部１１の表面から放射される振動を反響させ外装部本体２１を胴鳴りさせることで、倍音に富んだ柔らかい音を生成するための空間である。
反響空間３０は、本体部１０の外面と、外装部本体２１の内面と、複数の支持材２２と、の間に形成される。
本例では、３つの支持材２２の間に２つの反響空間３０を形成する。
反響空間３０は、必ずしも完全な気密空間である必要はなく、ベル部１１の振動が十分に反響する前に外部に漏れない程度の気密性を備えればよい。
【００２５】
＜５＞音響メカニズム。
本考案の金管楽器１の音響メカニズムは以下のとおりである。
演奏者が口をマウスピース部１３に当て、唇を振動させながらマウスピース部１３内に息を吹き込むと、管内の気柱が共振して振動を励起する。気柱の振動は吹出端方向へと伝播し、管部１２を経てベル部１１内に至る。
ベル部１１に至った気柱の振動は、テーパー部１１ａで拡散・増幅しながら円筒部１１ｂの内壁に衝突することで、ベル部１１内で振動が共鳴し合って複雑で深い倍音が生じる。
この際、ベル部１１は支持材２２によって先端付近のみで支持され、他の部分が外装部本体２１に接触しないため、ベル部１１が効率的に振動することができる。
気柱の振動はベル部１１の筒先から外部とへ伝播され、密度の違う空気の中で音波の反射と放射が同時に起き、この放射波が複雑で深い音色を生成する。
一方、ベル部１１自体の振動は、ベル部１１の表面から外側へ伝播するが、これが直接外部に放射されると、基音を中心とした深みのない音色となる。
そこで、本考案の金管楽器１は、ベル部１１の表面から放射された振動を、閉鎖された反響空間３０内で外装部本体２１の内壁に反響させ、倍音を含んだ複雑な振動へと変化させ、これによって外装部本体２１を胴鳴りさせて表面から放射する。
本考案の金管楽器１は、このようにテーパー部１１ａと円筒部１１ｂの組合せと、支持材２２による部分支持によって、ベル部１１を振動させて豊かな倍音を発生させてベル部１１の筒先から外部へ放射しつつ、ベル部１１自体の表面から放射される振動を反響空間３０で反響させて外装部本体２１に胴鳴りさせることで、両音を共鳴させ、ディジュリドゥの様な豊かな倍音に彩られた低くて深みのある音色を再現することができる。
また、演奏者は、唇の形状と息のスピードや圧力によって基音と倍音を切り替えることで音色をコントロールすることができる。例えば、強く早く吹くことによって基音に対して倍音が豊かになり、より深みのある音色になる。
【実施例２】
【００２６】
[分割構造の例]
本例では、ベル部１１と管部１２の取り合い部にねじ込み式のジョイント部１４を設けて、金管楽器１を分割体１ａと１ｂに分割可能な構成とする（図３）。
これによって、搬送時の取り扱いや保管が容易になる。
なお、分割位置はベル部１１と管部１２の間に限らず、管部を１２の中間部などであってもよい。またジョイント部１４の構造もねじ込み式に限らず、差し込み式や折り曲げ式などであってもよい。
【符号の説明】
【００２７】
１      金管楽器  
１０    本体部
１１    ベル部
１１ａ  テーパー部
１１ｂ  円筒部
１２    管部
１３    マウスピース部
１４    ジョイント部
２０    外装部
２１    外装部本体
２２    支持材
３０    反響空間
【図１】
0003212958.tif 000003
【図２】
0003212958.tif 000004
【図３】
0003212958.tif 000005